(57)【要約】【課題】  水槽の内部に発生した泡、又は除湿器の内部に侵入した泡を、総使用水量を多くすることなく消去できるようにする。【解決手段】  第１の手段として、洗い行程の後の排水中に、水槽内部の水を直接に又は除湿器を通して水槽内部に還流させる循環ポンプを作動させる（Ｓ６〜Ｓ８）。第２の手段として、泡の過剰発生が検知されたときに、上記循環ポンプを作動させる。第３の手段として、脱水行程中、ドラムの回転速度が設定最高回転速度に達するまでの間に、上記循環ポンプを作動させる。これらにより、循環ポンプで循環される水槽内部の水で（新たに供給する水を使用することなく）、水槽の内部に発生した泡、又は除湿器の内部に侵入した泡の消去ができる。【選択図】  図１
2006110144.tif 000002
【特許請求の範囲】
【請求項１】
外箱の内部に弾性支持して設けられた水槽と、
この水槽の内部に設けられ、駆動装置により回転駆動されるドラムと、
前記水槽の外部に設けられた除湿器と、
前記水槽内部の空気を前記除湿器を通して水槽内部に還流させる送風装置と、
前記除湿器の内部に注水する注水装置と、
前記水槽内部の水を直接に又は除湿器を通して水槽内部に還流させる循環ポンプとを具備し、
前記ドラムを回転駆動する洗い行程の後の、前記水槽内の水を排出する排水中に、前記循環ポンプを作動させるようにしたことを特徴とするドラム式洗濯乾燥機。
【請求項２】
外箱の内部に弾性支持して設けられた水槽と、
この水槽の内部に設けられ、駆動装置により回転駆動されるドラムと、
前記水槽の外部に設けられた除湿器と、
前記水槽内部の空気を前記除湿器を通して水槽内部に還流させる送風装置と、
前記除湿器の内部に注水する注水装置と、
前記水槽内部の水を直接に又は除湿器を通して水槽内部に還流させる循環ポンプと、
前記水槽内部における泡の過剰発生を検知する泡過剰発生検知手段とを具備し、
その泡の過剰発生が検知されたときに、前記循環ポンプを作動させるようにしたことを特徴とするドラム式洗濯乾燥機。
【請求項３】
外箱の内部に弾性支持して設けられた水槽と、
この水槽の内部に設けられ、駆動装置により回転駆動されるドラムと、
前記水槽の外部に設けられた除湿器と、
前記水槽内部の空気を前記除湿器を通して水槽内部に還流させる送風装置と、
前記除湿器の内部に注水する注水装置と、
前記水槽内部の水を直接に又は除湿器を通して水槽内部に還流させる循環ポンプとを具備し、
前記ドラムを回転駆動する洗い行程の後の、同ドラムを回転駆動する脱水行程中、そのドラムの回転速度が設定最高回転速度に達するまでの間に、前記循環ポンプを作動させるようにしたことを特徴とするドラム式洗濯乾燥機。
【発明の詳細な説明】
【技術分野】
【０００１】
本発明は、水槽内部における泡の過剰発生に対処する改良を施したドラム式洗濯乾燥機に関する。
【背景技術】
【０００２】
従来より、ドラム式洗濯乾燥機においては、洗濯物をドラムの内部に収容し、更に洗濯水及び洗剤をドラムの内部に収容して、ドラムを回転させることにより、洗濯物の洗い行程が行なわれるようになっている。このため、その洗い行程中には、洗剤を含んだ洗濯水が盛んに撹拌され、それによって、洗剤が一般の非低発泡洗剤であった場合には、非常に多くの泡が発生する。この発生した泡は、ドラム内から排水しても排出されず、水だけが排出されて、泡は残ってしまう。
【０００３】
そして、ドラム式洗濯乾燥機においては、洗濯物の脱水も、ドラムを回転させることにより行われるようになっており、特に洗い行程直後の脱水行程中には、上述のごとく発生して残った泡に、更に洗濯物から絞り出された洗剤液（洗剤を含んだ洗濯水）がドラムとこれを収容した水槽との間でドラムの回転による一層の撹拌作用を受けて発生する泡が加わる。そして、それらの泡は、ドラムの回転により更に撹拌されることで、最終的には粘りのあるクリーム状に変化し、それがドラムの回転を阻害してしまって、ドラムの回転が上がらないことにより、充分な脱水ができなくなる。
【０００４】
又、ドラム式洗濯乾燥機においては、水槽の外部に除湿器が設けられると共に、水槽内部の空気をその除湿器を通して水槽内部に還流させる送風装置、並びに除湿器の内部に注水する注水装置が設けられ、これらにより、洗濯物を乾燥させる乾燥行程において、水槽内部の空気の循環除湿をするようになっている。上述の水槽内部に発生した泡は、それに通じた除湿器の内部にも浸入し、この浸入した泡がそのまま、あるいはその後のすすぎ行程のための給水により押し上げられて、上記送風装置や、更にはその風下部分に具えられた温風生成用の加熱装置の内部に入り込み、それらに害を与える可能性がある。
【０００５】
こうした事情から、従来においては、洗い行程の後、水槽内部の水を排出して、新たに水槽内部に洗い行程で貯留した水位以上に水を供給して貯留し、この状態で、ドラムを所定回数揺動させることにより、水槽内部（水槽とドラムとの間並びにドラム内部）に発生した泡を水に浸漬させて消去させるようにしたものが供されている。
又、そのほかのものとして、洗い行程中に除湿器の内部に給水することにより、該除湿器の内部に浸入した泡を水滴でつぶしたり、水流で流したりして消去させるようにしたものも存在する。
【特許文献１】特開２００２−２７３０９３号公報
【特許文献２】特開平１０−３３８７８号公報
【発明の開示】
【発明が解決しようとする課題】
【０００６】
上述のものの場合、いずれも泡を消滅するのに使用する水は、それ専用に新たに供給される水であり、その分、総使用水量が多くなっていた。
【０００７】
本発明は上述の事情に鑑みてなされたものであり、従ってその目的は、水槽の内部に発生した泡、又は除湿器の内部に侵入した泡を、総使用水量を多くすることなく消去することのできるドラム式洗濯乾燥機を提供するにある。
【課題を解決するための手段】
【０００８】
上記目的を達成するために、本発明のドラム式洗濯乾燥機においては、第１に、外箱の内部に弾性支持して設けられた水槽と、この水槽の内部に設けられ、駆動装置により回転駆動されるドラムと、前記水槽の外部に設けられた除湿器と、前記水槽内部の空気を前記除湿器を通して水槽内部に還流させる送風装置と、前記除湿器の内部に注水する注水装置と、前記水槽内部の水を直接に又は除湿器を通して水槽内部に還流させる循環ポンプとを具備し、前記ドラムを回転駆動する洗い行程の後の、前記水槽内の水を排出する排水中に、前記循環ポンプを作動させるようにしたことを特徴とする（請求項１の発明）。
【０００９】
本発明のドラム式洗濯乾燥機においては、第２に、外箱の内部に弾性支持して設けられた水槽と、この水槽の内部に設けられ、駆動装置により回転駆動されるドラムと、前記水槽の外部に設けられた除湿器と、前記水槽内部の空気を前記除湿器を通して水槽内部に還流させる送風装置と、前記除湿器の内部に注水する注水装置と、前記水槽内部の水を直接に又は除湿器を通して水槽内部に還流させる循環ポンプと、前記水槽内部における泡の過剰発生を検知する泡過剰発生検知手段とを具備し、その泡の過剰発生が検知されたときに、前記循環ポンプを作動させるようにしたことを特徴とする（請求項２の発明）。
【００１０】
本発明のドラム式洗濯乾燥機においては、第３に、外箱の内部に弾性支持して設けられた水槽と、この水槽の内部に設けられ、駆動装置により回転駆動されるドラムと、前記水槽の外部に設けられた除湿器と、前記水槽内部の空気を前記除湿器を通して水槽内部に還流させる送風装置と、前記除湿器の内部に注水する注水装置と、前記水槽内部の水を直接に又は除湿器を通して水槽内部に還流させる循環ポンプとを具備し、前記ドラムを回転駆動する洗い行程の後の、同ドラムを回転駆動する脱水行程中、そのドラムの回転速度が設定最高回転速度に達するまでの間に、前記循環ポンプを作動させるようにしたことを特徴とする（請求項３の発明）。
【発明の効果】
【００１１】
上記いずれの手段においても、循環ポンプで循環される水槽内部の水で、水槽の内部に発生した泡、又は除湿器の内部に侵入した泡の消去ができるものであり、総使用水量を多くすることなくそれらの泡を消去することができる。
【発明を実施するための最良の形態】
【００１２】
以下、本発明の第１実施例（第１の実施形態）につき、図１ないし図７を参照して説明する。
まず、図２に示すように、ドラム式洗濯乾燥機全体の外殻を成す外箱１の前面部には、中央部にドア２を設け、上部に、操作パネル３と洗剤投入用ケース４とを設けている。
ドア２は、図３に示すように、外箱１の前面部の中央部に形成した洗濯物出入口５を開閉するもので、外箱１の前面部の裏側の上部（操作パネル３の裏側）には操作回路ユニット６を設け、下部に制御回路ユニット７を設けている。
【００１３】
外箱１の内部には水槽８を配設している。この水槽８は円筒状を成すものであり、その軸方向が前後（図３中、左右）となる横軸状で、しかも、前上がりの傾斜状に配設し、左右一対（一方のみ図示）のサスペンション９により弾性支持している。
水槽８の内部には、ドラム１０を水槽８と同軸状（軸方向が前後となる横軸状で、しかも、前上がりの傾斜状）に配設している。このドラム１０は、洗濯、脱水及び乾燥に共用の槽として機能するものであり、胴部のほゞ全域に通水孔であり通風孔でもある小孔１１を多数有し（図３に一部のみ図示）、胴部の内周部には洗濯物掻き上げ用のバッフル１２を複数有している（図３に１つのみ図示）。
【００１４】
水槽８及びドラム１０は、いずれも前面部に洗濯物出し入れ用の開口部１３，１４を有しており、そのうちの水槽８の開口部１３を、ベロー１５によって前記外箱１の洗濯物出入口５に連ね、ドラム１０の開口部１４を水槽８の開口部１３に臨ませることにより、ドラム１０の内部に洗濯物出入口５が通じるようにしている。
【００１５】
水槽８の背面部には、ドラム１０を回転駆動する駆動装置としてモータ１６を配設している。このモータ１６は、この場合、例えば直流のブラシレスモータから成るもので、アウターロータ形であり、ステータ１６ａを水槽８の背面部に取付け、ロータ１６ｂの中心部に取付けた回転軸１６ｃを水槽８内に挿通して、これの前端部にドラム１０の背部の中心部を取付けている。
水槽８の下面部には水溜器１７を取付けており、この水溜器１７の内部に洗濯水加熱用のヒータ１８を配設し、水溜器１７の最低部である後部には排水用機内ホース１９を接続している。
【００１６】
一方、水槽８上には、後側に送風装置２０を配設し、前側に加熱装置２１を配設している。このうち、送風装置２０は、ケーシング２２の内部に送風羽根２３を設け、この送風羽根２３を回転駆動するモータ２４をケーシング２２の外部に設けて成るものであり、それらの間をベルト伝動機構２５により連結している。一方、加熱装置２１は、ケース２６の内部に温風生成用ヒータ２７を設けて成るもので、ケース２６の入口部に上記送風装置２０のケーシング２２の出口部を連通させている。
更に、水槽８上の前部には給風ダクト２８を配設している。この給風ダクト２８は、一端部を上記加熱装置２１のケース２６の出口部に連通させており、他端部を水槽８内に臨ませている。
【００１７】
水槽８の背面部には又、除湿器２９を配設している。この除湿器２９は、上部から水が注ぎ入れられることによって、内部を下方から通る空気の水分を水により熱交換して冷却し凝縮させて除湿する水冷式のものであり、全体に中空状を成している。又、この除湿器２９は、図４に示すように、ドラム１０の回転中心たる前記モータ１６の回転軸１６ｃに対して同心円状に湾曲する形状を成すものであり、モータ１６を避けてその図中左側に配設している。
【００１８】
しかして、除湿器２９は、下部に連通口である水出口兼用の空気入口３０を有しており、その空気入口３０を水槽８の内下部に連通させている。又、除湿器２９は、上部を前記送風装置２０のケーシング２２に連通させており、以上の除湿器２９、送風装置２０、並びに前記加熱装置２１、及び給風ダクト２８により、後述のごとく洗濯物の乾燥に供する乾燥ユニット３１（図３参照）を構成している。
【００１９】
除湿器２９には、内部の上部に注水管３２を横架して設けている。この注水管３２は、除湿器２９内の下方部を臨む下面部に例えば横一列状に多数の噴水口３２ａを有しており、除湿器２９内に位置した一端部が閉塞し、開口した他端部に除湿器２９外において注水チューブ３３の一端部を接続し、該注水チューブ３３の他端部を、前記外箱１内の最上部に配設した給水弁３４に接続している。
【００２０】
外箱１内の最上部には又、水位センサ３５と泡センサ３６とを配設している。このうち、水位センサ３５は、水槽８の底部に設けた図示しないエアトラップからエアチューブ３７を介して伝えられる空気圧により水槽８内の水位を検知するようになっている。なお、水槽８内は前記小孔１１を介してドラム１０内と連通しており、水槽８内に貯水すれば、小孔１１を通じてドラム１０内にも貯水されるから、水位センサ３５は水槽８内と共にドラム１０内の水位をも検知する水位検知手段として機能する。
【００２１】
これに対して、泡センサ３６は、除湿器２９の背部に設けたエアトラップ３８からエアチューブ３９を介して伝えられる空気圧により除湿器２９内の泡を検知するようになっている。なお、除湿器２９内は前記空気入口３０を介して水槽８内（水槽８とドラム１０との間）と連通しており、更に、水槽８内は上述のようにドラム１０内と連通しているから、ドラム１０内から水槽８内に泡が発生し、更に、除湿器２９内に泡が浸入して、それらが過剰となれば、それを泡センサ３６が検知するものであり、従って、泡センサ３６は水槽８内における泡の過剰発生を検知し、且つ除湿器２９内における泡の過剰発生を検知する泡過剰発生検知手段として機能する。具体的には、泡センサ３６は約数百〔Ｐａ〕（参考値：数十〔ｍｍＨ２Ｏ〕）程度の微小な空気圧の検知が可能なもので、水位センサ３５より１０倍ほど感度の高いものである。
【００２２】
外箱１の底部には、排水弁４０を配設している。この排水弁４０は、図５に示すように、弁筐４０ａを配水管４１の中間部に形成したもので、その弁筐４０ａに前記排水用機内ホース１９の先端部を接続している。又、弁筐４０ａの内部には弁体（図示せず）が位置し、この弁体を、弁筐４０ａの外方に位置したモータ４２によりワイヤ４３を介して図示しない復帰スプリングのばね力に抗し引張ることにより、開放するようになっている。
【００２３】
配水管４１の一端部には、循環ポンプ４４を配置している。この循環ポンプ４４は、排水弁４０の弁体より上流側で前記排水用機内ホース１９に連通しており、それによって水槽８内から排水用機内ホース１９を通じて吸水し、その水を吐水ホース４５を通じて吐出するようになっている。
【００２４】
しかして、吐水ホース４５の先端部は、除湿器２９の上部に接続した例えばＴ字形の分岐継手４６の一方の口に接続し、この分岐継手４６の一方の口に主流水路として直線的に連なった他方の口には、配水ホース４７を接続して、この配水ホース４７の先端部を、水槽８の上部のほゞ中央に形成した還流口４８に接続している。
【００２５】
又、除湿器２９の上記分岐継手４６直下の位置には、水槽８から除湿器２９を通じて溢水するための溢水口４９を形成しており、この溢水口４９と前記配水管４１の排水弁４０より下流側部分とを溢水ホース５０で接続している。
そして更に、配水管４１の排水弁４０より下流側部分には、排水用機外側ホース５１を接続し、この排水用機外側ホース５１の図示しない先端部側を機外に位置させている。
【００２６】
そして、図６には、前記外箱１の洗剤投入用ケース４が存する部分の裏側に配設した給水ケース５２と、これの後方に配置した給水弁装置５３とを示している。この給水弁装置５３には、前記給水弁３４が存すると共に、給水弁５４，５５が存し、そのうちの給水弁５４を接続ホース５６を介して上記給水ケース５２の給水用受口５７に接続し、給水ケース５２は、その給水用受口５７で受けた水を洗剤投入用ケース４の洗剤貯留部及び給水ホース５８を介して前記水槽８の開口部１３周りの上部から水槽８内に供給するようになっている。
【００２７】
又、それに対し、給水弁５５は、接続ホース５９を介して上記給水ケース５２の仕上剤供給用受口６０に接続し、給水ケース５２は、その仕上剤供給用受口６０で受けた水を洗剤投入用ケース４の仕上剤貯留部及び上記給水ホース５８を介して同じく前記水槽８の開口部１３周りの上部から水槽８内に供給するようになっている。
なお、前記排水弁４０がモータ４２の駆動力で開放される電動式であるのと同様に、給水弁３４，５４，５５は電磁石の駆動力で開放される電動式である。
【００２８】
図７には、制御装置６１を示している。この制御装置６１は、例えばマイクロコンピュータから成るもので、前記制御回路ユニット７に含まれ、ドラム式洗濯乾燥機の運転全般を制御する制御手段として機能するようになっている。この制御装置６１には、前記操作パネル３が有する各種の操作スイッチから成る操作入力部６２より各種操作信号が入力されるようになっている。なお、操作入力部６２は前記操作回路ユニット６に含まれており、操作パネル３が有する各種のスイッチに対する使用者の操作に応じた各種操作信号を出力するようになっている。
【００２９】
このほか、制御装置６１には、前記水位センサ３５から水位検知信号が入力されると共に、泡センサ３６から泡検知信号が入力され、更に、前記モータ１６の回転を検知するように設けた回転センサ６３から回転検知信号が入力されるようになっている。なお、制御装置６１は、回転センサ６３からの回転検知信号に基づき、ドラム１０の回転数を検知時間で除する演算をするようになっており、それによってドラム１０の回転速度を検知する回転速度検知手段として機能するようになっている。
【００３０】
そして、制御装置６１は、それらの入力並びにあらかじめ記憶された制御プログラムに基づいて、前記操作パネル３に存する各種表示器から成る表示部６４に表示制御信号を与えると共に、前記給水弁３４，５４，５５と、モータ１６、送風装置２０のモータ２４、加熱装置２１の温風生成用ヒータ２７、循環ポンプ４４、及び排水弁４０用のモータ４２を駆動する駆動回路６５に駆動制御信号を与えるようになっている。
【００３１】
次に、上記構成のものの作用を述べる。
今、使用者が操作パネル３に存する各種の操作スイッチから標準のコースを選択する操作をして、更に、運転を開始させる操作をすると、制御装置６１は、図１に示すように、運転を開始（スタート）させて、最初に給水弁５４を開放させることにより、前記接続ホース５６から給水ケース５２（洗剤投入用ケース４の洗剤貯留部）、給水ホース５８を通じて水槽８内への給水をする（ステップＳ１）。
【００３２】
この後、制御装置６１は、水位センサ３５からの水位検知信号により、水槽８内の水位が所定水位に達したか否かの判断をし（ステップＳ２）、達した（ＹＥＳ）と判断されたところで、上記給水弁５４を閉塞させる（ステップＳ３）。なお、このとき、洗剤は、洗剤投入用ケース４の上記洗剤貯留部にあらかじめセットしておくことにより、前記給水ケース５２を通る水によって水槽８内に投入される。
【００３３】
次いで、制御装置６１は、モータ１６を正逆両方向に交互に回転させることにより、ドラム１０を時計回りと反時計回りとに交互に回転させて洗濯物の洗いを行う洗い行程を所定時間実行するものであり（ステップＳ４）、このときに、水槽８内（水槽８とドラム１０との間、並びにドラム１０内）に泡が発生し、その一部が水槽８内から空気入口３０を通って除湿器２９の内部に侵入する。
この後、制御装置６１は、排水弁４０を開放させることにより、水槽８内の水を前記排水用機内ホース１９、配水管４１、及び排水用機外側ホース５１を通じて機外に排出する（ステップＳ５）。
【００３４】
そして、その後、制御装置６１は、循環ポンプ４４を作動させることにより、上記水槽８内から排水用機内ホース１９を通じて排出されつつある水を、排水弁４０の上流側から吸入して、前記吐水ホース４５、分岐継手４６、及び配水ホース４７を通じ、水槽８の還流口４８から水槽８内に還流させると共に、上記分岐継手４６から除湿器２９内に注入する（ステップＳ６）。この除湿器２９内に注入された水は、その後、除湿器２９内を通って下部の空気入口３０から水槽８内に還流されるものであり、従って、この場合、水槽８内の水は除湿器２９を通して水槽８内に還流され、それに対して、前者は水槽８内に直接に還流される。
【００３５】
この水槽８内に直接に還流され、又、除湿器２９を通して還流される水により、前記水槽８内（水槽８とドラム１０との間、並びにドラム１０内）に発生した泡、及び水槽８内から空気入口３０を通じて除湿器２９の内部に侵入した泡をつぶしたり流したりして消去できる。
【００３６】
又、水槽８内に直接に還流される水は、還流口４８が水槽８の上部のほゞ中央に存することから、ドラム１０の左右にほゞ均等に振り分けられて該ドラム１０の小孔１１からさながら雨のごとくドラム１０内に還流されるものであり、それによって、ドラム１０内の泡のつぶし消去に効果的に作用する。
【００３７】
しかして、その後、制御装置６１は、所定時間が経過したか否かの判断をし（ステップＳ７）、経過した（ＹＥＳ）と判断されたところで、循環ポンプ４４を停止させる（ステップＳ８）。
そして、その後は、脱水行程へと進む。
【００３８】
このように本構成のものでは、ドラム１０を回転駆動する洗い行程の後の、水槽８内の水を排出する排水中に、循環ポンプ４４を作動させるようにしたもので、それにより、循環ポンプ４４で循環される水槽８内の水で、水槽８の内部に発生した泡、及び除湿器２９の内部に侵入した泡の消去ができるものであり、従来のもののような新たに供給する水を使用することがないので、総使用水量を多くすることなくそれらの泡の消去ができる。
【００３９】
以上に対して、図８及び図９は本発明の第２及び第３実施例（第２及び第３の実施形態）を示すもので、第１実施例と同一の部分には同一の符号を付して説明を省略し、異なる部分についてのみ述べる。
【００４０】
［第２実施例］
図８に示す第２実施例においては、制御装置６１が、前述のステップＳ１〜Ｓ３（給水開始、水位判断、給水終了）を経た後に、モータ１６を正逆両方向に交互に回転させることにより、ドラム１０を時計回りと反時計回りとに交互に回転させて洗濯物の洗いを行なう洗い行程を開始する（ステップＳ１０１）。
【００４１】
そして、その洗い行程中に、泡センサ３６からの泡検知信号により、水槽８内における泡の過剰発生が検知されたか否かの判断をし（ステップＳ１０２）、検知された（ＹＥＳ）と判断されたところで、排水弁４０を開放させることにより、水槽８内の水を、前述同様、排水用機内ホース１９、配水管４１、及び排水用機外側ホース５１を通じて機外に排出する（ステップＳ１０３）。
【００４２】
この状態で、前述のステップＳ６〜Ｓ８（循環ポンプ４４作動、所定時間の経過判断、循環ポンプ４４停止）を経、その後に、前記洗い行程を再開し（ステップＳ１０４）、それが所定時間行われれば、再び水槽８内からの排水を行う（ステップＳ１０５）。
そして、その後、脱水行程へと進む。
【００４３】
このように、本構成のものでは、洗い工程中、泡の過剰発生が検知されたときに、循環ポンプ４４を作動させるようにしたもので、それにより、前述同様、循環ポンプ４４で循環される水槽８内の水で、水槽８の内部に発生した泡、及び除湿器２９の内部に侵入した泡の消去ができるものであり、従来のもののような新たに供給する水を使用することがないので、総使用水量を多くすることなくそれらの泡の消去ができる。
なお、泡の過剰発生を検知するのは、洗い行程中に限られず、次の脱水行程やすすぎ行程等であっても良い。
【００４４】
［第３実施例］
図９に示す第３実施例においては、制御装置６１が、前述のステップＳ４，Ｓ５（洗い行程、排水）の後に、水位センサ３５からの水位検知信号により、水槽８内の水位がリセット水位に達したと判断された後、所定時間が経過したか否かの判断をし（ステップＳ２０１）、経過した（ＹＥＳ）と判断されたところで、モータ１６を正逆いずれかの方向に回転させることにより、ドラム１０を時計回り又は反時計回りに回転させて洗濯物の脱水を行う脱水行程を開始する（ステップＳ２０２）。
【００４５】
なお、この脱水行程では、洗濯物が含んだ水がドラム１０の回転による遠心力で小孔１１から振り切られ、それが前記排水用機内ホース１９、配水管４１、及び排水用機外側ホース５１を通じて機外に排出される。
そして、この脱水行程中であって、ドラム１０の回転速度が設定最高回転速度に達するまでの間に、前述のステップＳ６〜Ｓ８（循環ポンプ４４作動、所定時間の経過判断、循環ポンプ４４停止）を経、その後に、ドラム１０の回転速度を設定最高回転速度まで上昇させる。
【００４６】
このように、本構成のものでは、洗い行程の後の、ドラム１０を回転駆動する脱水行程中、そのドラム１０の回転速度が設定最高回転速度に達するまでの間に、循環ポンプ４４を作動させるようにしたもので、それにより、前述同様、循環ポンプ４４で循環される水槽８内の水で、水槽８の内部に発生した泡、及び除湿器２９の内部に侵入した泡の消去ができるものであり、従来のもののような新たに供給する水を使用することがないので、総使用水量を多くすることなくそれらの泡の消去ができる。
【００４７】
又、この場合、循環ポンプ４４を作動させるのは、ドラム１０の回転速度が設定最高回転速度に達するまでの間であって、水槽８内から水が充分に排出されるまでの間であるから、水槽８内及び除湿器２９内には泡の消去に充分効果のある量の水を還流させることができる。
【００４８】
なお、脱水行程後のすすぎ行程は、図示しないが、洗剤の投入がない以外、洗い行程と同様に行うものであり、それを例えば数回行った後の脱水行程は上述の脱水の行程と同様に行う。但し、この場合には、洗濯物が含む水の洗剤分は充分に希釈されていて、泡の発生はないと考えられるから、循環ポンプ４４による泡消し運転は行わない。
【００４９】
そして、乾燥の行程は、これも図示しないが、モータ１６によりドラム１０を例えば洗い行程と同様に回転させ、同時に、給水弁３４から注水チューブ３３を通じて注水管３２に注水しつつ、送風装置２０と加熱装置２１とを作動させる。これにより、ドラム１０が回転される状況で、ドラム１０内の空気が、小孔１１から水槽８内に出て、該水槽８内から除湿器２９内を下部の空気入口３０から上部へと通される。又、このとき、除湿器２９内には、給水弁３４から注水管３２に注入された水がその注水管３２の噴水口３２ａから噴射されて流下し、この流下する水に、除湿器２９内を通る上記ドラム１０内の空気中の水蒸気が触れて冷却され、凝縮されることにより除湿される。
【００５０】
その除湿された空気は、その後、送風装置２０のケーシング２２内から加熱装置２１のケース２６内に送り込まれて、温風生成用ヒータ２７により加熱されることにより温風化された後、給風ダクト２８を通って水槽８内に還流され、更にドラム１０内に還流される。このドラム１０内に還流された空気は、ドラム１０内を通る過程で該ドラム１０内の洗濯物から湿気を奪い、その後、再び除湿器２９内を下部から上部へと通されるということが繰返されて循環されるものであり、かくして、洗濯物の乾燥が行われる。
【００５１】
以上、本発明の実施例を述べたが、本発明はそれらに限られるものではなく、例えば、循環ポンプ４４が水槽８内の水を還流させて泡を消去する相手部分は、水槽の内部と除湿器の内部との両方ではなく、そのいずれか一方のみであっても良い。又、循環ポンプ４４は、洗い工程やすすぎ行程の折りに作動させることによって、洗濯物への水のしみこみや、粉末洗剤の溶解、洗濯物中の洗剤液の希釈等を促進し、もって洗濯効果を上げるのに使用するようにしても良い。
そのほか、本発明は上記し且つ図面に示した実施例にのみ限定されるものではなく、要旨を逸脱しない範囲内で適宜変更して実施し得る。
【図面の簡単な説明】
【００５２】
【図１】本発明の第１実施例を示す作用説明用のフローチャート
【図２】全体の正面図
【図３】全体の破断側面図
【図４】全体の、背板を取外した状態における背面図
【図５】内部構造の斜視図
【図６】異なる内部構造の斜視図
【図７】電気的構成のブロック図
【図８】本発明の第２実施例を示す図１相当図
【図９】本発明の第３実施例を示す図１相当図
【符号の説明】
【００５３】
図面中、１は外箱、８は水槽、１０はドラム、１６はモータ（駆動装置）、２０は送風装置、２９は除湿器、３６は泡センサ（泡過剰発生検知手段）、４４は循環ポンプ、６１は制御装置（制御手段）を示す。
【図１】
2006110144.tif 000003
【図２】
2006110144.tif 000004
【図３】
2006110144.tif 000005
【図４】
2006110144.tif 000006
【図５】
2006110144.tif 000007
【図６】
2006110144.tif 000008
【図７】
2006110144.tif 000009
【図８】
2006110144.tif 000010
【図９】
2006110144.tif 000011